(57)【特許請求の範囲】
【請求項１】
第１水平方向に伸びる、既存の建物の鉄筋コンクリート製の梁であって前記第１水平方向に間隔を置かれた２つの端部分と、該端部分の間に間隔を置かれた頂部分及び底部分と、前記頂部分と前記底部分との間に設けられた穿孔領域とを有する、前記第１水平方向と直交する第２水平方向に対して垂直な側部を有する梁に、前記穿孔領域を経て前記梁を前記第２水平方向に貫く、配管のための貫通穴を設ける前に前記梁を補強する方法であって、
前記梁の前記側部における、前記穿孔領域から各端部分に向けて前記第１水平方向に第１間隔を置かれ、かつ上方へ前記第１間隔より大きい第２間隔を置かれた第１位置に、該第１位置において開放され、前記第１位置から第２水平方向内方へ伸びる第１非貫通穴を、前記穿孔領域から各端部分に向けて前記第１水平方向に前記第１間隔を置かれ、かつ下方へ前記第２間隔を置かれた第２位置に、該第２位置において開放され、前記第２位置から第２水平方向内方へ伸びる第２非貫通穴をそれぞれ設ける第１ステップと、
前記穿孔領域から上方及び下方のそれぞれへ前記第１間隔を置かれ、かつ一端部分に向けて前記第１水平方向に前記第２間隔を置かれた第３位置に、該第３位置において開放され、前記第３位置から第２水平方向内方へ伸びる第３非貫通穴を、前記穿孔領域から上方及び下方のそれぞれへ前記第１間隔を置かれ、かつ他端部分に向けて前記第１水平方向に前記第２間隔を置かれた第４位置に、該第４位置において開放され、前記第４位置から第２水平方向内方へ伸びる第４非貫通穴をそれぞれ設ける第２ステップと、
上下方向に間隔を置かれ、それぞれが前記第２水平方向に伸びる、平行な２つの端部及び該端部の間に設けられた、各端部に対して垂直な中央部を有する第１鉄筋を用意する第３ステップと、
前記第１鉄筋の一端部を前記第１非貫通穴に、他端部を前記第２非貫通穴にそれぞれ挿入し、かつ、各端部を前記梁の内部に固定する第４ステップと、
前記第１水平方向に間隔を置かれ、それぞれが前記第２水平方向に伸びる、平行な２つの端部及び該端部の間に設けられた、各端部に対して垂直な中央部を有する第２鉄筋を用意する第５ステップと、
前記第２鉄筋の一端部を前記第３非貫通穴に、他端部を前記第４非貫通穴にそれぞれ挿入し、かつ、各端部を前記梁の内部に固定する第６ステップとを含む、梁の補強方法。
【請求項２】
前記第６ステップの後に前記梁の前記側部に、該側部から第２水平方向外方へ突出し、前記穿孔領域を取り巻く環状の平面形状を有する、コンクリート又はモルタルからなる突起であって前記第１鉄筋の前記中央部と前記第２鉄筋の前記中央部とを覆う突起を形成する第７ステップを含む、請求項１に記載の梁の補強方法。
【請求項３】
前記第１ステップの前又は前記第２ステップと前記第３ステップとの間に前記梁の前記側部に、第２水平方向外方へ開放され、前記第１位置から前記第２位置へ上下方向に伸びる第１溝と、前記第３位置から前記第４位置へ前記第１水平方向に伸びる第２溝とを設ける第８ステップを含み、
前記第４ステップにおいて前記第１鉄筋の前記中央部が前記第１溝に受け入れられるようにし、前記第６ステップにおいて前記第２鉄筋の前記中央部が前記第２溝に受け入れられるようにし、
前記第６ステップの後に前記第１溝及び前記第２溝のそれぞれに、モルタルからなる充填材を満たす第９ステップを含む、請求項１に記載の梁の補強方法。
【請求項４】
第１水平方向に伸びる、既存の建物の鉄筋コンクリート製の梁であって前記第１水平方向に間隔を置かれた２つの端部分と、該端部分の間に間隔を置かれた頂部分及び底部分と、前記頂部分と前記底部分との間に設けられた穿孔領域とを有する、前記第１水平方向と直交する第２水平方向に対して垂直な側部を有する梁に、前記穿孔領域を経て前記梁を前記第２水平方向に貫く、配管のための貫通穴を設ける前に前記梁を補強する方法であって、
前記梁の前記側部における、前記穿孔領域から各端部分に向けて前記第１水平方向に第１間隔を置かれ、かつ上方へ前記第１間隔より大きい第２間隔を置かれた第１位置に、該第１位置において開放され、前記第１位置から第２水平方向内方へ伸びる第１非貫通穴を、前記穿孔領域から各端部分に向けて前記第１水平方向に前記第１間隔を置かれ、かつ下方へ前記第２間隔を置かれた第２位置に、該第２位置において開放され、前記第２位置から第２水平方向内方へ伸びる第２非貫通穴をそれぞれ設けること、
上下方向に間隔を置かれ、それぞれが前記第２水平方向に伸びる、平行な２つの端部及び該端部の間に設けられた、各端部に対して垂直な中央部を有する鉄筋を用意すること、
前記鉄筋の一端部を前記第１非貫通穴に、他端部を前記第２非貫通穴にそれぞれ挿入し、かつ、各端部を前記梁の内部に固定することを含む、梁の補強方法。
【請求項５】
第１水平方向に伸びる、既存の建物の鉄筋コンクリート製の梁であって前記第１水平方向に間隔を置かれた２つの端部分と、該端部分の間に間隔を置かれた頂部分及び底部分と、前記頂部分と前記底部分との間に設けられた穿孔領域とを有する、前記第１水平方向と直交する第２水平方向に対して垂直な側部を有する梁に、前記穿孔領域を経て前記梁を前記第２水平方向に貫く、配管のための貫通穴を設ける前に前記梁を補強する方法であって、
前記梁の前記側部における、前記穿孔領域から上方及び下方のそれぞれへ第１間隔を置かれ、かつ一端部分に向けて前記第１水平方向に前記第１間隔より大きい第２間隔を置かれた第１位置に、該第１位置において開放され、前記第１位置から第２水平方向内方へ伸びる第１非貫通穴を、前記穿孔領域から上方及び下方のそれぞれへ前記第１間隔を置かれ、かつ他端部分に向けて前記第１水平方向に前記第２間隔を置かれた第２位置に、該第２位置において開放され、前記第２位置から第２水平方向内方へ伸びる第２非貫通穴をそれぞれ設けること、
前記第１水平方向に間隔を置かれ、それぞれが前記第２水平方向に伸びる、平行な２つの端部及び該端部の間に設けられた、各端部に対して垂直な中央部を有する鉄筋を用意すること、
前記鉄筋の一端部を前記第１非貫通穴に、他端部を前記第２非貫通穴にそれぞれ挿入し、かつ、各端部を前記梁の内部に固定することを含む、梁の補強方法。
【請求項６】
第１水平方向に伸びる、既存の建物の鉄筋コンクリート製の梁であって前記第１水平方向に間隔を置かれた２つの端部分と、該端部分の間に間隔を置かれた頂部分及び底部分と、前記頂部分と前記底部分との間に設けられた穿孔領域とを有する、前記第１水平方向と直交する第２水平方向に対して垂直な側部を有する梁に、前記穿孔領域を経て前記梁を前記第２水平方向に貫く、配管のための貫通穴を設ける前に前記梁を補強する方法であって、
前記第２水平方向に対して垂直な面で見て、前記梁の前記側部における、前記穿孔領域から各端部分に向けて前記第１水平方向に対してほぼ４５度の角度をなして交差する第１傾斜方向に前記第１間隔を置かれ、かつ上方へ前記第１傾斜方向と直交する第２傾斜方向に前記第１間隔より大きい第２間隔を置かれた第１位置に、該第１位置において開放され、前記第１位置から第２水平方向内方へ伸びる第１非貫通穴を、前記穿孔領域から各端部分に向けて前記第１傾斜方向に前記第１間隔を置かれ、かつ下方へ前記第２傾斜方向に前記第２間隔を置かれた第２位置に、該第２位置において開放され、前記第２位置から第２水平方向内方へ伸びる第２非貫通穴をそれぞれ設けること、
前記穿孔領域から上方及び下方のそれぞれへ前記第２傾斜方向に前記第１間隔を置かれ、かつ一端部分に向けて前記第１傾斜方向に前記第２間隔を置かれた第３位置に、該第３位置において開放され、前記第３位置から第２水平方向内方へ伸びる第３非貫通穴を、前記穿孔領域から上方及び下方のそれぞれへ前記第２傾斜方向に前記第１間隔を置かれ、かつ他端部分に向けて前記第１傾斜方向に前記第２間隔を置かれた第４位置に、該第４位置において開放され、前記第４位置から第２水平方向内方へ伸びる第４非貫通穴をそれぞれ設けること、
前記第２傾斜方向に間隔を置かれ、それぞれが前記第２水平方向に伸びる、平行な２つの端部及び該端部の間に設けられた、各端部に対して垂直な中央部を有する第１鉄筋を用意すること、
前記第１鉄筋の一端部を前記第１非貫通穴に、他端部を前記第２非貫通穴にそれぞれ挿入し、かつ、各端部を前記梁の内部に固定すること、
前記第１傾斜方向に間隔を置かれ、それぞれが前記第２水平方向に伸びる、平行な２つの端部及び該端部の間に設けられた、各端部に対して垂直な中央部を有する第２鉄筋を用意すること、
前記第２鉄筋の一端部を前記第３非貫通穴に、他端部を前記第４非貫通穴にそれぞれ挿入し、かつ、各端部を前記梁の内部に固定することを含む、梁の補強方法。
【発明の詳細な説明】
【技術分野】
【０００１】
本発明は、既存の建物の鉄筋コンクリート製の梁に配管のための貫通穴を設ける前に前記梁を補強する方法に関する。
【背景技術】
【０００２】
鉄筋コンクリート製の梁を有する既存の建物を改装するとき、前記梁に、該梁の側部を経て前記梁をその幅方向に貫く貫通穴を設け、該貫通穴の中に給水管、排水管、ガス管、換気用ダクト等のような管を配置することがある。前記梁に前記貫通穴を設けることにより、前記梁の一部の断面が欠損するため、前記梁のせん断強度が著しく損なわれる。このため、前記梁に前記貫通穴を設ける前に前記梁を補強する必要がある。
【０００３】
従来、前記梁の補強方法には、前記梁の前記側部に、該側部における、前記貫通穴が設けられる穿孔領域を取り巻く環状の平面形状を有する鋼板を取り付けるものがある（非特許文献１参照）。前記梁が積載荷重、地震力等を受けて前記梁にせん断力が作用したとき、前記鋼板は前記せん断力に抵抗する。これにより前記梁は補強される。
【先行技術文献】
【特許文献】
【０００４】
【非特許文献１】「日本建築学会大会学術講演梗概集（近畿）１９９５年９月」第１６５頁
【発明の概要】
【発明が解決しようとする課題】
【０００５】
しかし、前記鋼板は比較的重く、前記鋼板の持運びに多くの労力を要し、前記鋼板の取扱いが困難である。このため、前記梁の補強時の作業性が良くない。
【０００６】
本発明の目的は、既存の建物の梁に貫通穴を設ける前に前記梁を補強する際に該梁の側部に取り付ける部材を軽量化し、該部材の取扱いを容易にすることにより、前記梁の補強時の作業性を向上させることである。
【課題を解決するための手段】
【０００７】
本発明は、梁を補強する際、前記梁の側部における、穿孔領域から各端部分に向けて水平方向に第１間隔を置かれ、かつ上方へ前記第１間隔より大きい第２間隔を置かれた第１位置に第１鉄筋の一端部を、前記穿孔領域から各端部分に向けて水平方向に第１間隔を置かれ、かつ下方へ前記第２間隔を置かれた第２位置に前記第１鉄筋の他端部を、前記穿孔領域から上方及び下方のそれぞれへ前記第１間隔を置かれ、かつ一端部分に向けて水平方向に前記第２間隔を置かれた第３位置に第２鉄筋の一端部を、前記穿孔領域から上方及び下方のそれぞれへ前記第１間隔を置かれ、かつ他端部分に向けて水平方向に前記第２間隔を置かれた第４位置に前記第２鉄筋の他端部をそれぞれ取り付ける。これにより、梁の側部に、穿孔領域を取り巻く環状の平面形状を有する鋼板を取り付ける従来の場合と比べ、梁の側部に取り付ける部材を軽量化し、該部材の取扱いを容易にし、梁の補強時の作業性を向上させる。
【０００８】
本発明に係る梁の補強方法は、第１水平方向に伸びる、既存の建物の鉄筋コンクリート製の梁であって前記第１水平方向に間隔を置かれた２つの端部分と、該端部分の間に間隔を置かれた頂部分及び底部分と、前記頂部分と前記底部分との間に設けられた穿孔領域とを有する、前記第１水平方向と直交する第２水平方向に対して垂直な側部を有する梁に、前記穿孔領域を経て前記梁を前記第２水平方向に貫く、配管のための貫通穴を設ける前に前記梁を補強する方法である。この補強方法は、前記梁の前記側部における、前記穿孔領域から各端部分に向けて前記第１水平方向に第１間隔を置かれ、かつ上方へ前記第１間隔より大きい第２間隔を置かれた第１位置に、該第１位置において開放され、前記第１位置から第２水平方向内方へ伸びる第１非貫通穴を、前記穿孔領域から各端部分に向けて前記第１水平方向に前記第１間隔を置かれ、かつ下方へ前記第２間隔を置かれた第２位置に、該第２位置において開放され、前記第２位置から第２水平方向内方へ伸びる第２非貫通穴をそれぞれ設ける第１ステップと、前記穿孔領域から上方及び下方のそれぞれへ前記第１間隔を置かれ、かつ一端部分に向けて前記第１水平方向に前記第２間隔を置かれた第３位置に、該第３位置において開放され、前記第３位置から第２水平方向内方へ伸びる第３非貫通穴を、前記穿孔領域から上方及び下方のそれぞれへ前記第１間隔を置かれ、かつ他端部分に向けて前記第１水平方向に前記第２間隔を置かれた第４位置に、該第４位置において開放され、前記第４位置から第２水平方向内方へ伸びる第４非貫通穴をそれぞれ設ける第２ステップと、上下方向に間隔を置かれ、それぞれが前記第２水平方向に伸びる、平行な２つの端部及び該端部の間に設けられた、各端部に対して垂直な中央部を有する第１鉄筋を用意する第３ステップと、前記第１鉄筋の一端部を前記第１非貫通穴に、他端部を前記第２非貫通穴にそれぞれ挿入し、かつ、各端部を前記梁の内部に固定する第４ステップと、前記第１水平方向に間隔を置かれ、それぞれが前記第２水平方向に伸びる、平行な２つの端部及び該端部の間に設けられた、各端部に対して垂直な中央部を有する第２鉄筋を用意する第５ステップと、前記第２鉄筋の一端部を前記第３非貫通穴に、他端部を前記第４非貫通穴にそれぞれ挿入し、かつ、各端部を前記梁の内部に固定する第６ステップとを含む。このようにして前記第１位置及び前記第２位置にそれぞれ前記第１鉄筋の前記一端部及び前記他端部を取り付け、前記第３位置及び前記第４位置にそれぞれ前記第２鉄筋の前記一端部及び前記他端部を取り付ける。
【０００９】
前記梁が積載荷重、地震力等を受けて前記梁にせん断力が作用したとき、前記第１鉄筋及び前記第２鉄筋のそれぞれは前記せん断力に抵抗する。これにより前記梁は補強される。前記梁を補強する際に前記第１位置及び前記第２位置にそれぞれ前記第１鉄筋の前記一端部及び前記他端部を取り付け、前記第３位置及び前記第４位置にそれぞれ前記第２鉄筋の前記一端部及び前記他端部を取り付けるため、梁の側部に、穿孔領域を取り巻く環状の平面形状を有する鋼板を取り付ける従来の場合と比べ、梁の側部に取り付ける部材を軽量化することができ、該部材の取扱いを容易にすることができる。これにより梁の補強時の作業性を向上させることができる。
【００１０】
前記補強方法は、前記第６ステップの後に前記梁の前記側部に、該側部から第２水平方向外方へ突出し、前記穿孔領域を取り巻く環状の平面形状を有する、コンクリート又はモルタルからなる突起であって前記第１鉄筋の前記中央部と前記第２鉄筋の前記中央部とを覆う突起を形成する第７ステップを含むものとすることができる。また、前記補強方法は、前記第１ステップの前又は前記第２ステップと前記第３ステップとの間に前記梁の前記側部に、第２水平方向外方へ開放され、前記第１位置から前記第２位置へ上下方向に伸びる第１溝と、前記第３位置から前記第４位置へ前記第１水平方向に伸びる第２溝とを設ける第８ステップを含み、前記第４ステップにおいて前記第１鉄筋の前記中央部が前記第１溝に受け入れられるようにし、前記第６ステップにおいて前記第２鉄筋の前記中央部が前記第２溝に受け入れられるようにし、前記第６ステップの後に前記第１溝及び前記第２溝のそれぞれに、モルタルからなる充填材を満たす第９ステップを含むものとすることができる。
【００１１】
前記補強方法は、前記梁の前記側部における、前記穿孔領域から各端部分に向けて前記第１水平方向に第１間隔を置かれ、かつ上方へ前記第１間隔より大きい第２間隔を置かれた第１位置に、該第１位置において開放され、前記第１位置から第２水平方向内方へ伸びる第１非貫通穴を、前記穿孔領域から各端部分に向けて前記第１水平方向に前記第１間隔を置かれ、かつ下方へ前記第２間隔を置かれた第２位置に、該第２位置において開放され、前記第２位置から第２水平方向内方へ伸びる第２非貫通穴をそれぞれ設けること、上下方向に間隔を置かれ、それぞれが前記第２水平方向に伸びる、平行な２つの端部及び該端部の間に設けられた、各端部に対して垂直な中央部を有する鉄筋を用意すること、該鉄筋の一端部を前記第１非貫通穴に、他端部を前記第２非貫通穴にそれぞれ挿入し、かつ、各端部を前記梁の内部に固定することを含むものとすることができる。
【００１２】
前記補強方法は、前記梁の前記側部における、前記穿孔領域から上方及び下方のそれぞれへ第１間隔を置かれ、かつ一端部分に向けて前記第１水平方向に前記第１間隔より大きい第２間隔を置かれた第１位置に、該第１位置において開放され、前記第１位置から第２水平方向内方へ伸びる第１非貫通穴を、前記穿孔領域から上方及び下方のそれぞれへ前記第１間隔を置かれ、かつ他端部分に向けて前記第１水平方向に前記第２間隔を置かれた第２位置に、該第２位置において開放され、前記第２位置から第２水平方向内方へ伸びる第２非貫通穴をそれぞれ設けること、前記第１水平方向に間隔を置かれ、それぞれが前記第２水平方向に伸びる、平行な２つの端部及び該端部の間に設けられた、各端部に対して垂直な中央部を有する鉄筋を用意すること、該鉄筋の一端部を前記第１非貫通穴に、他端部を前記第２非貫通穴にそれぞれ挿入し、かつ、各端部を前記梁の内部に固定することを含むものとすることができる。
【００１３】
前記補強方法は、前記第２水平方向に対して垂直な面で見て、前記梁の前記側部における、前記穿孔領域から各端部分に向けて前記第１水平方向に対してほぼ４５度の角度をなして交差する第１傾斜方向に前記第１間隔を置かれ、かつ上方へ前記第１傾斜方向と直交する第２傾斜方向に前記第１間隔より大きい第２間隔を置かれた第１位置に、該第１位置において開放され、前記第１位置から第２水平方向内方へ伸びる第１非貫通穴を、前記穿孔領域から各端部分に向けて前記第１傾斜方向に前記第１間隔を置かれ、かつ下方へ前記第２傾斜方向に前記第２間隔を置かれた第２位置に、該第２位置において開放され、前記第２位置から第２水平方向内方へ伸びる第２非貫通穴をそれぞれ設けること、前記穿孔領域から上方及び下方のそれぞれへ前記第２傾斜方向に前記第１間隔を置かれ、かつ一端部分に向けて前記第１傾斜方向に前記第２間隔を置かれた第３位置に、該第３位置において開放され、前記第３位置から第２水平方向内方へ伸びる第３非貫通穴を、前記穿孔領域から上方及び下方のそれぞれへ前記第２傾斜方向に前記第１間隔を置かれ、かつ他端部分に向けて前記第１傾斜方向に前記第２間隔を置かれた第４位置に、該第４位置において開放され、前記第４位置から第２水平方向内方へ伸びる第４非貫通穴をそれぞれ設けること、前記第２傾斜方向に間隔を置かれ、それぞれが前記第２水平方向に伸びる、平行な２つの端部及び該端部の間に設けられた、各端部に対して垂直な中央部を有する第１鉄筋を用意すること、該第１鉄筋の一端部を前記第１非貫通穴に、他端部を前記第２非貫通穴にそれぞれ挿入し、かつ、各端部を前記梁の内部に固定すること、前記第１傾斜方向に間隔を置かれ、それぞれが前記第２水平方向に伸びる、平行な２つの端部及び該端部の間に設けられた、各端部に対して垂直な中央部を有する第２鉄筋を用意すること、該第２鉄筋の一端部を前記第３非貫通穴に、他端部を前記第４非貫通穴にそれぞれ挿入し、かつ、各端部を前記梁の内部に固定することを含むものとすることができる。
【発明の効果】
【００１４】
本発明によれば、梁を補強する際、該梁の側部における、穿孔領域から各端部分に向けて第１水平方向に第１間隔を置かれ、かつ上方へ前記第１間隔より大きい第２間隔を置かれた第１位置に第１鉄筋の一端部を、穿孔領域から各端部分に向けて前記第１水平方向に前記第１間隔を置かれ、かつ下方へ前記第２間隔を置かれた第２位置に前記第１鉄筋の他端部を、前記穿孔領域から上方及び下方のそれぞれへ前記第１間隔を置かれ、かつ一端部分に向けて前記第１水平方向に前記第２間隔を置かれた第３位置に第２鉄筋の一端部を、前記穿孔領域から上方及び下方のそれぞれへ前記第１間隔を置かれ、かつ他端部分に向けて前記第１水平方向に前記第２間隔を置かれた第４位置に前記第２鉄筋の他端部をそれぞれ取り付けるため、梁の側部に、穿孔領域を取り巻く環状の平面形状を有する鋼板を取り付ける従来の場合と比べ、梁の側部に取り付ける部材を軽量化することができ、該部材の取扱いを容易にすることができる。これにより梁の補強時の作業性を向上させることができる。
【図面の簡単な説明】
【００１５】
【図１】建物の梁の側面図。
【図２】梁の側部に第１非貫通穴と第２非貫通穴と第３非貫通穴と第４非貫通穴とを設けた後の、図１の線２における梁の側面図。
【図３】第２鉄筋の一端部を第２非貫通穴に、他端部を第３非貫通穴にそれぞれ挿入した後の梁の側面図。
【図４】図３の線４における梁の断面図。
【図５】梁の側部に突起を形成した後の梁の側面図。
【図６】図５の線６における梁の断面図。
【図７】梁に貫通穴を設けた後の梁の側面図。
【図８】図７の線８における梁の断面図。
【図９】梁の側部に第１溝と第２溝とを設けた後の梁の側面図。
【図１０】第１鉄筋の中央部が第１溝に、第２鉄筋の中央部が第２溝にそれぞれ受け入れられた状態における梁の側面図。
【図１１】図１０の線１１における梁の断面図。
【図１２】第１溝及び第２溝のそれぞれに充填材を満たした後の梁の側面図。
【図１３】図１２の線１３における梁の断面図。
【図１４】梁の各側部に第１鉄筋と第２鉄筋とを取り付けたことを示す図。
【図１５】第１鉄筋及び第２鉄筋のそれぞれが複数の部材からなることを示す図。
【図１６】梁の側部に第３鉄筋と第４鉄筋と取り付けたことを示す図。
【図１７】第１位置及び第２位置が第２傾斜方向に間隔を置かれ、第３位置及び第４位置が第１傾斜方向に間隔を置かれていることを示す図。
【図１８】梁の側部に第１鉄筋のみを取り付けたことを示す図。
【図１９】梁の側部に第２鉄筋のみを取り付けたことを示す図。
【図２０】建物の壁を補強したことを示す図。
【発明を実施するための形態】
【００１６】
図１に示すように、第１水平方向（図１における左右方向）に伸びる、既存の建物１０の鉄筋コンクリート製の梁１２が存在する。梁１２は、前記第１水平方向と直交する第２水平方向（図１における奥行き方向）に対して垂直な側部１４を有し、該側部は、前記第１水平方向に間隔を置かれた２つの端部分１６、１８と、該端部分の間に間隔を置かれた頂部分２０及び底部分２２と、頂部分２０と底部分２２との間に設けられた穿孔領域２４とを有する。梁１２は、前記第１水平方向に間隔を置かれた２つの柱２６の間に設けられており、梁１２に床スラブ２８が支持されている。
【００１７】
建物１０の改装時、梁１２に、穿孔領域２４を経て梁１２を前記第２水平方向に貫く貫通穴３０（図７）を設け、該貫通穴の中に、給水管、排水管、ガス管、換気用ダクト等のような管（図示せず）を配置する。梁１２に貫通穴３０を設けることにより、梁１２の一部の断面が欠損し、梁１２のせん断強度が損なわれるため、梁１２に貫通穴３０を設けることに先立ち、梁１２を補強する。
【００１８】
梁１２を補強するとき、まず、図２に示すように、梁１２の側部１４における、穿孔領域２４から各端部分１６、１８に向けて前記第１水平方向に第１間隔（図２に符号３２で示す。）を置かれ、かつ穿孔領域２４から上方へ前記第１間隔より大きい第２間隔（図２に符号３４で示す。）を置かれた第１位置３６に第１非貫通穴３８を、穿孔領域２４から各端部分１６、１８に向けて前記第１水平方向に前記第１間隔を置かれ、かつ穿孔領域２４から下方へ前記第２間隔を置かれた第２位置４０に第２非貫通穴４２をそれぞれ設ける。第１非貫通穴３８は、第１位置３６において開放され、該第１位置から第２水平方向内方へ伸び、第２非貫通穴４２は、第２位置４０において開放され、該第２位置から第２水平方向内方へ伸びている。
【００１９】
次に、梁１２の側部１４における、穿孔領域２４から上方及び下方のそれぞれへ前記第１間隔を置かれ、かつ穿孔領域２４から一端部分１６に向けて前記第１水平方向に前記第２間隔を置かれた第３位置４４に第３非貫通穴４６を、穿孔領域２４から上方及び下方のそれぞれへ前記第１間隔を置かれ、かつ穿孔領域２４から他端部分１８に向けて前記第１水平方向に前記第２間隔を置かれた第４位置４８に第４非貫通穴５０をそれぞれ設ける。第３非貫通穴４６は、第３位置４４において開放され、該第３位置から第２水平方向内方へ伸び、第４非貫通穴５０は、第４位置４８において開放され、該第４位置から第２水平方向内方へ伸びている。
【００２０】
第１位置３６、第２位置４０、第３位置４４及び第４位置４８にそれぞれ第１非貫通穴３８、第２非貫通穴４２、第３非貫通穴４６及び第４非貫通穴５０を設けた後、図３、４に示すように、上下方向に間隔を置かれ、それぞれが前記第２水平方向に伸びる、平行な２つの端部５２及び該端部の間に設けられた、各端部５２に対して垂直な中央部５４を有する第１鉄筋５６を用意し、該第１鉄筋の一端部５２を第１非貫通穴３８に、他端部５２を第２非貫通穴４２にそれぞれ挿入し、かつ、各端部５２を梁１２の内部に固定する。第１鉄筋５６の一端部５２及び他端部５２をそれぞれ第１非貫通穴３８及び第２非貫通穴４２に挿入する前に第１非貫通穴３８及び第２非貫通穴４２のそれぞれに樹脂系の接着剤５８を満たしておく。第１鉄筋５６の一端部５２及び他端部５２をそれぞれ第１非貫通穴３８及び第２非貫通穴４２に挿入したとき、前記接着剤により各端部５２が梁１２の内部に固定される。第１非貫通穴３８及び第２非貫通穴４２のそれぞれに接着剤５８を満たす上記の例に代え、モルタルからなる充填材（図示せず）を満たしてもよい。この場合、前記充填材の硬化により第１鉄筋５６の各端部５２が梁１２の内部に固定される。このようにして第１位置３６に第１鉄筋５６の一端部５２を、第２位置４０に第１鉄筋５６の他端部５２をそれぞれ取り付ける。
【００２１】
その後、前記第１水平方向に間隔を置かれ、それぞれが前記第２水平方向に伸びる、平行な２つの端部６０及び該端部の間に設けられた、各端部６０に対して垂直な中央部６２を有する第２鉄筋６４を用意し、該第２鉄筋の一端部６０を第３非貫通穴４６に、他端部６０を第４非貫通穴５０にそれぞれ挿入し、かつ、各端部６０を梁１２の内部に固定する。第２鉄筋６４の一端部６０及び他端部６０をそれぞれ第３非貫通穴４６及び第４非貫通穴５０に挿入する前に第３非貫通穴４６及び第４非貫通穴５０のそれぞれに樹脂系の接着剤（図示せず）又はモルタルからなる充填材（図示せず）を満たしておく。第２鉄筋６４の一端部６０及び他端部６０をそれぞれ第３非貫通穴４６及び第４非貫通穴５０に挿入したとき、前記接着剤により又は前記充填材の硬化により各端部６０が梁１２の内部に固定される。このようにして第３位置４４に第２鉄筋６４の一端部６０を、第４位置４８に第２鉄筋６４の他端部６０をそれぞれ取り付ける。
【００２２】
その後、図５、６に示すように、梁１２の側部１４に、該側部から第２水平方向外方へ突出し、穿孔領域２４を取り巻く環状の平面形状を有する突起６６であって第１鉄筋５６の中央部５４と第２鉄筋６４の中央部６２とを覆う突起６６を形成する。突起６６は、コンクリート又はモルタルからなる。突起６６の形成の前、突起６６を梁１２の側部１４に確実に付着させるため、梁１２の側部１４における、穿孔領域２４を取り巻く領域に目荒らしをする。突起６６の形成の後、図７、８に示すように、梁１２に貫通穴３０を設ける。
【００２３】
梁１２が積載荷重、地震力等を受けて梁１２にせん断力が作用したとき、前記第２水平方向に対して垂直な面で見て、第１位置３６及び第４位置４８がそれぞれ第２位置４０及び第３位置４４に対して前記第１水平方向とほぼ４５度の角度をなして交差する方向にずれようとする。このとき、第１鉄筋５６は、第１位置３６が第２位置４０に対してずれることを阻止し、第２鉄筋６４は、第４位置４８が第３位置４４に対してずれることを阻止する。このように第１鉄筋５６及び第２鉄筋６４のそれぞれは前記せん断力に抵抗する。これにより梁１２は補強される。
【００２４】
梁１２を補強する際、第１位置３６に第１鉄筋５６の一端部５２を、第２位置４０に第１鉄筋５６の他端部５２を、第３位置４４に第２鉄筋６４の一端部６０を、第４位置４８に第２鉄筋６４の他端部６０をそれぞれ取り付けるため、梁の側部に、穿孔領域を取り巻く環状の平面形状を有する鋼板を取り付ける従来の場合と比べ、梁の側部に取り付ける部材を軽量化することができ、該部材の取扱いを容易にすることができる。これにより梁の補強時の作業性を向上させることができる。
【００２５】
第３位置４４及び第４位置４８にそれぞれ第３非貫通穴４６及び第４非貫通穴５０を設けることを、第１位置３６及び第２位置４０にそれぞれ第１非貫通穴３８及び第２非貫通穴４２を設けることの後に行う上記の例に代え、第１位置３６及び第２位置４０にそれぞれ第１非貫通穴３８及び第２非貫通穴４２を設けることの前に行ってもよいし、第１位置３６及び第２位置４０にそれぞれ第１非貫通穴３８及び第２非貫通穴４２を設けることと同時に行ってもよい。
【００２６】
第２鉄筋６４の一端部６０を第３非貫通穴４６に、他端部６０を第４非貫通穴５０にそれぞれ挿入し、かつ、各端部６０を梁１２の内部に固定することを、第１鉄筋５６の一端部５２を第１非貫通穴３８に、他端部５２を第２非貫通穴４２にそれぞれ挿入し、かつ、各端部５２を梁１２の内部に固定することの後に行う上記の例に代え、第１鉄筋５６の一端部５２を第１非貫通穴３８に、他端部５２を第２非貫通穴４２にそれぞれ挿入し、かつ、各端部５２を梁１２の内部に固定することの前に行ってもよい。梁１２に対する補強を、該梁に貫通穴３０を設ける前に行う上記の例に代え、梁１２に貫通穴３０を設けた後に行ってもよい。
【００２７】
図９に示す例では、第１位置３６、第２位置４０、第３位置４４及び第４位置４８にそれぞれ第１非貫通穴３８、第２非貫通穴４２、第３非貫通穴４６及び第４非貫通穴５０を設けた後、第１鉄筋５６を用意する前に梁１２の側部１４に、第１位置３６から第２位置４０へ上下方向に伸びる第１溝６８と、第３位置４４から第４位置４８へ前記第１水平方向に伸びる第２溝７０とを設ける。第１溝６８及び第２溝７０のそれぞれは第２水平方向外方へ開放されている。
【００２８】
この場合、図１０、１１に示すように、第１鉄筋５６の一端部５２を第１非貫通穴３８に、他端部５２を第２非貫通穴４２にそれぞれ挿入し、かつ、各端部５２を梁１２の内部に固定するとき、第１鉄筋５６の中央部５４が第１溝６８に受け入れられるようにする。また、第２鉄筋６４の一端部６０を第３非貫通穴４６に、他端部６０を第４非貫通穴５０にそれぞれ挿入し、かつ、各端部６０を梁１２の内部に固定するとき、第２鉄筋６４の中央部６２が第２溝７０に受け入れられるようにする。梁１２の内部への第１鉄筋５６の各端部５２の固定と、第２鉄筋６４の各端部６０の固定とを行った後、図１２、１３に示すように、第１溝６８及び第２溝７０のそれぞれに、モルタルからなる充填材７２を満たす。これにより第１鉄筋５６の中央部５４及び第２鉄筋６４の中央部６２のそれぞれが充填材７２に被覆される。梁１２の側部１４への突起６６の形成を要しないため、該突起により梁１２の外観が損なわれることがない。
【００２９】
梁１２の側部１４に第１溝６８と第２溝７０とを設けることを、第１位置３６、第２位置４０、第３位置４４及び第４位置４８にそれぞれ第１非貫通穴３８、第２非貫通穴４２、第３非貫通穴４６及び第４非貫通穴５０を設けた後、第１鉄筋５６を用意する前に行う上記の例に代え、第１位置３６、第２位置４０、第３位置４４及び第４位置４８にそれぞれ第１非貫通穴３８、第２非貫通穴４２、第３非貫通穴４６及び第４非貫通穴５０を設ける前に行ってもよい。
【００３０】
図１４に示す例では、梁１２の１つの側部１４における第１位置３６及び第２位置４０にそれぞれ第１鉄筋５６の一端部５２及び他端部５２を取り付け、第３位置４４及び第４位置４８にそれぞれ第２鉄筋６４の一端部６０及び他端部６０を取り付ける図６に示した例に代え、梁１２の各側部１４における第１位置３６及び第２位置４０にそれぞれ第１鉄筋５６の一端部５２及び他端部５２を取り付け、第３位置４４及び第４位置４８にそれぞれ第２鉄筋６４の一端部６０及び他端部６０を取り付ける。この場合、梁１２は、前記第２水平方向に間隔を置かれた、相対する２つの側部１４を有し、各側部が、前記第１水平方向に間隔を置かれた２つの端部分１６、１８と、該端部分の間に間隔を置かれた頂部分２０及び底部分２２と、頂部分２０と底部分２２との間に設けられた穿孔領域２４とを有する。
【００３１】
図１５に示す例では、第１鉄筋５６は、１つの部材からなる図５に示した例に代え、複数の部材からなる。第１鉄筋５６は、上下方向に間隔を置かれた第１部材５６ａ及び第２部材５６ｂであってそれぞれが、上下方向に伸びる縦部分及び該縦部分に対して垂直な、前記第２水平方向に伸びる横部分からなるＬ字形を呈する第１部材５６ａ及び第２部材５６ｂと、上端部が第１部材５６ａの前記縦部分に、下端部が第２部材５６ｂの前記縦部分にそれぞれ固定された、上下方向に伸びる直線状の第３部材５６ｃとからなる。第１鉄筋５６の一端部５２を第１非貫通穴３８に、他端部５２を第２非貫通穴４２にそれぞれ挿入するとき、第１部材５６ａの前記横部分を第１非貫通穴３８に、第２部材５６ｂの前記横部分を第２非貫通穴４２にそれぞれ挿入する。
【００３２】
前記挿入を、第３部材５６ｃの前記上端部が第１部材５６ａの前記縦部分に、第３部材５６ｃの前記下端部が第２部材５６ｂの前記縦部分にそれぞれ固定された状態で行ってもよいし、前記挿入の後に、第３部材５６ｃの前記上端部を第１部材５６ａの前記縦部分に、第３部材５６ｃの前記下端部を第２部材５６ｂの前記縦部分にそれぞれ固定してもよい。この場合、第１非貫通穴３８及び第２非貫通穴４２のそれぞれの位置に施工上の誤差があったとしても、前記挿入が妨げられることがない。第１鉄筋５６は、第１部材５６ａと第２部材５６ｂと第３部材５６ｃとからなる図１５に示した例に代え、第１部材５６ａと第２部材５６ｂとからなり、第３部材５６ｃを有しないものでもよい。この場合、第２部材５６ｂの前記縦部分は第１部材５６ａの前記縦部分に固定されている。
【００３３】
第２鉄筋６４は、図１５に示した例では、前記第１水平方向に間隔を置かれた第１部材６４ａ及び第２部材６４ｂであってそれぞれが、前記第１水平方向に伸びる縦部分及び該縦部分に対して垂直な、前記第２水平方向に伸びる横部分からなるＬ字形を呈する第１部材６４ａ及び第２部材６４ｂと、一端部が第１部材６４ａの前記縦部分に、他端部が第２部材６４ｂの前記縦部分にそれぞれ固定された、前記第１水平方向に伸びる直線状の第３部材６４ｃとからなる。第２鉄筋６４の一端部６０を第３非貫通穴４６に、他端部６０を第４非貫通穴５０にそれぞれ挿入するとき、第１部材６４ａの前記横部分を第３非貫通穴４６に、第２部材６４ｂの前記横部分を第４非貫通穴５０にそれぞれ挿入する。第２鉄筋６４は、第１部材６４ａと第２部材６４ｂと第３部材６４ｃとからなる図１５に示した例に代え、第１部材６４ａと第２部材６４ｂとからなり、第３部材６４ｃを有しないものでもよい。この場合、第２部材６４ｂの前記縦部分は第１部材６４ａの前記縦部分に固定されている。
【００３４】
図１６に示す例では、第１位置３６及び第２位置４０にそれぞれ第１鉄筋５６の一端部５２及び他端部５２を取り付け、第３位置４４及び第４位置４８にそれぞれ第２鉄筋６４の一端部６０及び他端部６０を取り付けることに加え、第５位置７４及び第６位置７６にそれぞれ第３鉄筋７８の一端部及び他端部を取り付け、第７位置８０及び第８位置８２にそれぞれ第４鉄筋８４の一端部及び他端部を取り付ける。
【００３５】
この場合、第１位置３６、第２位置４０、第３位置４４及び第４位置４８にそれぞれ第１非貫通穴３８、第２非貫通穴４２、第３非貫通穴４６及び第４非貫通穴５０を設けた後、第１鉄筋５６を用意する前に、梁１２の側部１４における、穿孔領域２４から各端部分１６、１８に向けて前記第１水平方向に前記第１間隔より大きく、前記第２間隔より小さい第３間隔（図１６に符号８６で示す。）を置かれ、かつ上方へ前記第２間隔を置かれた第５位置７４に第５非貫通穴８８を、穿孔領域２４から各端部分１６、１８に向けて前記第１水平方向に前記第３間隔を置かれ、かつ下方へ前記第２間隔を置かれた第６位置７６に第６非貫通穴９０をそれぞれ設ける。第５非貫通穴８８は、第５位置７４において開放され、該第５位置から第２水平方向内方へ伸び、第６非貫通穴９０は、第６位置７６において開放され、該第６位置から第２水平方向内方へ伸びている。
【００３６】
第５位置７４及び第６位置７６にそれぞれ第５非貫通穴８８及び第６非貫通穴９０を設けた後、穿孔領域２４から上方及び下方のそれぞれへ前記第３間隔を置かれ、かつ一端部分１６に向けて前記第１水平方向に前記第２間隔を置かれた第７位置８０に第７非貫通穴９２を、穿孔領域２４から上方及び下方のそれぞれへ前記第３間隔を置かれ、かつ他端部分１８に向けて前記第１水平方向に前記第２間隔を置かれた第８位置８２に第８非貫通穴９４をそれぞれ設ける。第７非貫通穴９２は、第７位置８０において開放され、該第７位置から第２水平方向内方へ伸び、第８非貫通穴９４は、第８位置８２において開放され、該第８位置から第２水平方向内方へ伸びている。
【００３７】
第７位置８０及び第８位置８２にそれぞれ第７非貫通穴９２及び第８非貫通穴９４を設けた後、第１鉄筋５６を用意し、該第１鉄筋の一端部５２を第１非貫通穴３８に、他端部５２を第２非貫通穴４２にそれぞれ挿入し、かつ、各端部５２を梁１２の内部に固定する。その後、上下方向に間隔を置かれ、それぞれが前記第２水平方向に伸びる、平行な２つの端部及び該端部の間に設けられた、各端部に対して垂直な中央部を有する第３鉄筋７８を用意し、該第３鉄筋の一端部を第５非貫通穴８８に、他端部を第６非貫通穴９０にそれぞれ挿入し、かつ、各端部を梁１２の内部に固定する。
【００３８】
その後、第２鉄筋６４を用意し、該第２鉄筋の一端部６０を第３非貫通穴４６に、他端部６０を第４非貫通穴５０にそれぞれ挿入し、かつ、各端部６０を梁１２の内部に固定する。その後、前記第１水平方向に間隔を置かれ、それぞれが前記第２水平方向に伸びる、平行な２つの端部及び該端部の間に設けられた、各端部に対して垂直な中央部を有する第４鉄筋８４を用意し、該第４鉄筋の一端部を第７非貫通穴９２に、他端部を第８非貫通穴９４にそれぞれ挿入し、かつ、各端部を梁１２の内部に固定する。その後、梁１２の側部１４に突起６６を形成する。突起６６は第１鉄筋５６の中央部５４と第２鉄筋６４の中央部６２と第３鉄筋７８の前記中央部と第４鉄筋８４の前記中央部とを覆う。
【００３９】
図１７に示す例では、第１位置３６は、前記第２水平方向に対して垂直な面で見て、穿孔領域２４から各端部分１６、１８に向けて、前記第１水平方向に対してほぼ４５度の角度をなして交差する第１傾斜方向に前記第１間隔（図１７に符号３２で示す。）を置かれ、かつ上方へ前記第１傾斜方向と直交する第２傾斜方向に前記第２間隔（図１７に符号３４で示す。）を置かれており、第２位置４０は、穿孔領域２４から各端部分１６、１８に向けて前記第１傾斜方向に前記第１間隔を置かれ、かつ下方へ前記第２傾斜方向に前記第２間隔を置かれている。また、第３位置４４は、穿孔領域２４から上方及び下方のそれぞれへ前記第２傾斜方向に前記第１間隔を置かれ、かつ一端部分１６に向けて前記第１傾斜方向に前記第２間隔を置かれており、第４位置４８は、穿孔領域２４から上方及び下方のそれぞれへ前記第２傾斜方向に前記第１間隔を置かれ、かつ他端部分１８に向けて前記第１傾斜方向に前記第２間隔を置かれている。
【００４０】
この場合、第１鉄筋５６は、前記第２傾斜方向に間隔を置かれ、それぞれが前記第２水平方向に伸びる、平行な２つの端部５２及び該端部の間に設けられた、各端部５２に対して垂直な中央部５４を有する。また、第２鉄筋６４は、前記第１傾斜方向に間隔を置かれ、それぞれが前記第２水平方向に伸びる、平行な２つの端部６０及び該端部の間に設けられた、各端部６０に対して垂直な中央部６２を有する。図１７に示した例では、第２鉄筋６４の一端部６０を第３非貫通穴４６に、他端部６０を第４非貫通穴５０にそれぞれ挿入し、かつ、各端部６０を梁１２の内部に固定した後、梁１２の側部１４に突起６６を形成する。
【００４１】
梁１２の側部１４に突起６６を形成する図１７に示した例に代え、突起６６を形成しなくてもよい。この場合、第１位置３６、第２位置４０、第３位置４４及び第４位置４８にそれぞれ第１非貫通穴３８、第２非貫通穴４２、第３非貫通穴４６及び第４非貫通穴５０を設けた後、第１鉄筋５６を用意する前に梁１２の側部１４に、第２水平方向外方へ開放され、第１位置３６から第２位置４０へ前記第２傾斜方向に伸びる第１溝（図示せず）と、第２水平方向外方へ開放され、第３位置４４から第４位置４８へ前記第１傾斜方向に伸びる第２溝（図示せず）とを設ける。その後、第１鉄筋５６の一端部５２を第１非貫通穴３８に、他端部５２を第２非貫通穴４２にそれぞれ挿入するとき、第１鉄筋５６の中央部５４が前記第１溝に受け入れられるようにし、第２鉄筋６４の一端部６０を第３非貫通穴４６に、他端部６０を第４非貫通穴５０にそれぞれ挿入するとき、第２鉄筋６４の中央部６２が前記第２溝に受け入れられるようにする。梁１２の内部への第１鉄筋５６の各端部５２の固定と、第２鉄筋６４の各端部６０の固定とを行った後、前記第１溝及び前記第２溝のそれぞれに、モルタルからなる充填材を満たす。
【００４２】
梁１２に作用する前記せん断力が比較的小さい場合、第１位置３６及び第２位置４０にそれぞれ第１鉄筋５６の一端部５２及び他端部５２を取り付けること及び第３位置４４及び第４位置４８にそれぞれ第２鉄筋６４の一端部６０及び他端部６０を取り付けることの双方を行う図５に示した例に代え、図１８に示すように、第１位置３６及び第２位置４０にそれぞれ第１鉄筋５６の一端部５２及び他端部５２を取り付けることのみを行い、第３位置４４及び第４位置４８にそれぞれ第２鉄筋６４の一端部６０及び他端部６０を取り付けることを行わなくてもよい。また、図１９に示すように、第３位置４４及び第４位置４８にそれぞれ第２鉄筋６４の一端部６０及び他端部６０を取り付けることのみを行い、第１位置３６及び第２位置４０にそれぞれ第１鉄筋５６の一端部５２及び他端部５２を取り付けることを行わなくてもよい。
【００４３】
上記の補強方法を、梁１２に適用することに代え、図２０に示すように、水平面で見て前記第１水平方向に伸びる壁９６に適用してもよい。また、上記の補強方法を床スラブ２８に適用してもよい。この場合、床スラブ２８は、前記第１水平方向に間隔を置かれた２つの端部分と、該端部分の間に前記第２水平方向に間隔を置かれた２つの側部分と、該側部分の間に設けられた穿孔領域とを有する、水平な頂部又は底部を有し、床スラブ２８に対する補強は、該床スラブに、前記穿孔領域を経て床スラブ２８を上下方向に貫く貫通穴を設ける前になされる。
【符号の説明】
【００４４】
１０    建物
１２    梁
１４    側部
１６、１８    端部分
２０    頂部分
２２    底部分
２４    穿孔領域
３０    貫通穴
３６    第１位置
３８    第１非貫通穴
４０    第２位置
４２    第２非貫通穴
４４    第３位置
４６    第３非貫通穴
４８    第４位置
５０    第４非貫通穴
５２    第１鉄筋の端部
５４    第１鉄筋の中央部
５６    第１鉄筋
６０    第２鉄筋の端部
６２    第２鉄筋の中央部
６４    第２鉄筋
６６    突起
６８    第１溝
７０    第２溝
７２    充填材
【図１】
0005463181.tif 000002
【図２】
0005463181.tif 000003
【図３】
0005463181.tif 000004
【図４】
0005463181.tif 000005
【図５】
0005463181.tif 000006
【図６】
0005463181.tif 000007
【図７】
0005463181.tif 000008
【図８】
0005463181.tif 000009
【図９】
0005463181.tif 000010
【図１０】
0005463181.tif 000011
【図１１】
0005463181.tif 000012
【図１２】
0005463181.tif 000013
【図１３】
0005463181.tif 000014
【図１４】
0005463181.tif 000015
【図１５】
0005463181.tif 000016
【図１６】
0005463181.tif 000017
【図１７】
0005463181.tif 000018
【図１８】
0005463181.tif 000019
【図１９】
0005463181.tif 000020
【図２０】
0005463181.tif 000021